(57)【要約】【課題】従来の情報処理システムにおいて、複数の情報処理端末に蓄積されたデータを判りやすく表示し、個々のデータについて授受する作業を簡単にできない。【解決手段】第一情報処理装置と１以上の第二情報処理装置を有する情報処理システムであって、第一情報処理装置は、第二情報処理装置が近づいた場合に第二情報処理装置からデータを受信し、第二情報処理装置が近づいた場所の付近に当該データを表示し、第二情報処理装置が遠ざかった場合にデータを削除し、第二情報処理装置は、第一情報処理装置が近づいた場合にデータを第一情報処理装置に送信し、第一情報処理装置が遠ざかった場合に第一情報処理装置からデータを受信する情報処理システムであり、かかる情報処理システムにより、複数の情報処理端末に蓄積されたデータを一の画面上に判りやすく表示でき、かつデータの受け渡しを簡単に行える。【選択図】　図１
2004140729.tif 000002
【特許請求の範囲】
【請求項１】
第一情報処理装置と１以上の第二情報処理装置を有するデータ処理システムであって、
前記第一情報処理装置は、
前記第二情報処理装置からデータを受信するデータ受信部と、
前記第二情報処理装置が近づいた場所の付近に前記データを表示するデータ表示部を具備し、
前記第二情報処理装置は、
データを格納しているデータ格納部と、
前記第一情報処理装置が近づいた場合に、前記データを前記第一情報処理装置に送信するデータ送信部を具備するデータ処理システム。
【請求項２】
前記データ表示部は、前記データを送信した第二情報処理装置を視覚的に明示しつつ、前記データを表示する請求項１記載のデータ処理システム。
【請求項３】
第一情報処理装置と１以上の第二情報処理装置を有するデータ処理システムであって、
前記第一情報処理装置は、
データを表示するデータ表示部と、
前記第二情報処理装置が遠ざかった場合に、前記データを削除するデータ削除部を具備し、
前記第二情報処理装置は、
前記第一情報処理装置が遠ざかった場合に、前記第一情報処理装置からデータを受信する
データ処理システム。
【請求項４】
前記第一情報処理装置は、
前記第二情報処理装置が近づいた場合に、前記第二情報処理装置からデータを受信するデータ受信部をさらに具備し、
前記第二情報処理装置は、
データを格納しているデータ格納部と、
前記第一情報処理装置が近づいた場合に、前記データを前記第一情報処理装置に送信するデータ送信部をさらに具備する請求項３記載のデータ処理システム。
【請求項５】
前記第二情報処理装置に対応する前記第一情報処理装置のディスプレイ上の領域であるプライベート領域が明示されており、前記データ表示部は、前記データを送信した第二情報処理装置に対応するプライベート領域に前記データを表示する請求項１から請求項４いずれか記載のデータ処理システム。
【請求項６】
複数のプライベート領域間のデータ移動の指示であるユーザ操作を受け付ける操作入力部と、前記データ移動の指示に基づいて複数のプライベート領域間でデータ移動を行う請求項５記載のデータ処理システム。
【請求項７】
請求項から請求項６いずれか記載のデータ処理システムを構成する第一情報処理装置。
【請求項８】
請求項から請求項６いずれか記載のデータ処理システムを構成する第二情報処理装置。
【請求項９】
コンピュータに、
第二情報処理装置が近づいた場合に、前記第二情報処理装置からデータを受信するデータ受信ステップと、前記データを表示するデータ表示ステップと、前記第二情報処理装置が遠ざかった場合に、前記データを削除するデータ削除ステップを実行させるためのプログラム。
【請求項１０】
コンピュータに、
第一情報処理装置が近づいた場合に、データを前記第一情報処理装置に送信するデータ送信ステップと、
前記第一情報処理装置が遠ざかった場合に、前記第一情報処理装置からデータを受信するデータ受信ステップを実行させるためのプログラム。
【発明の詳細な説明】
【０００１】
【発明の属する技術分野】
本発明は、情報処理端末に記録されたデータをディスプレイに一覧表示し、端末間でデータ転送操作を行うことができるデータ処理装置等に関するものである。
【０００２】
【従来の技術】
近年、ＣＣＤカメラデバイスの小型高性能化と記憶メディアの大容量化により、デジタルスチルカメラやデジタルムービーカメラだけでなく、携帯電話やＰＤＡ（Ｐｅｒｓｏｎａｌ　Ｄｉｇｉｔａｌ　Ａｓｓｉｓｔａｎｔ）携帯型パーソナルコンピュータなど多くの情報処理端末にカメラが実装され、内蔵された記憶メディアに膨大な量のデータ（静止画データや動画データ）が蓄積されるようになった。
【０００３】
これら蓄積されたデータの内容を確認しつつ必要なデータのみを情報処理端末間で受け渡す作業を考えると、現状では、情報処理端末をケーブル接続またはメモリカードを介して、データをパーソナルコンピュータに転送し、コンピュータの画面上で内容を確認しながらディレクトリを跨いでファイルの複写や移動処理といった煩雑な処理を強いられている。そこで、もっと簡単な操作により情報処理端末間で目的のデータを授受したいしたいとする要望が強い。
【０００４】
かかる要望に応えるシステムとして、携帯端末とパーソナルコンピュータとのデータ授受に関して、例えば、特許文献１で、操作性の向上に向けた工夫が施された情報処理システムが提案されている。本情報処理システムは、携帯電話機がパーソナルコンピュータの入力表示部に載置されたとき、携帯電話機に内蔵されているＲＦタグに記憶されている携帯電話機の電話番号が、パーソナルコンピュータに内蔵されているリーダライタにより読み取られる。その電話番号に基づいて、携帯電話機とパーソナルコンピュータとの間において、電話回線が閉結される。そして、その電話回線を介して携帯電話機と、パーソナルコンピュータ１との間において、データが授受される。
【０００５】
【特許文献１】
特開２００２−２０４２３９号公報（第１頁等、第１図）
【０００６】
【発明が解決しようとする課題】
しかしながら、上記従来技術においても、情報処理端末に蓄積されたデータをパーソナルコンピュータへ転送し表示する作業、および２つの情報処理端末間でのデータ全体の一括転送作業、について簡単化しているにすぎず、複数の情報処理端末に蓄積されたデータを判りやすく表示し、個々のデータについて授受する作業を簡単にできるとは言い難い。
【０００７】
【課題を解決するための手段】
そこで、第一の発明は、第一情報処理装置と１以上の第二情報処理装置を有するデータ処理システムであって、第一情報処理装置は、第二情報処理装置からデータを受信するデータ受信部と、第二情報処理装置が近づいた場所の付近に前記データを表示するデータ表示部を具備し、第二情報処理装置は、データを格納しているデータ格納部と、第一情報処理装置が近づいた場合に、データを第一情報処理装置に送信するデータ送信部を具備するデータ処理システムであり、かかるデータ処理システムにより、複数の情報処理端末に蓄積されたデータを一の情報処理装置上に判りやすく表示できる。
【０００８】
また、第二の発明は、第一情報処理装置と１以上の第二情報処理装置を有するデータ処理システムであって、第一情報処理装置は、データを表示するデータ表示部と、第二情報処理装置が遠ざかった場合に、データを削除するデータ削除部を具備し、第二情報処理装置は、第一情報処理装置が遠ざかった場合に、第一情報処理装置からデータを受信するデータ処理システムであり、かかるデータ処理システムにより、所望のデータの受け渡しを簡単に行える。
【０００９】
【発明の実施の形態】
以下、データ処理システム等の実施形態について図面を参照して説明する。なお、実施の形態において同じ符号を付した構成要素は同様の動作を行うので、再度の説明を省略する場合がある。
【００１０】
図１は、本実施の形態におけるデータ処理システムの概念図である。データ処理システムは、データ表示操作装置１１、情報処理端末１２で構成される。データ表示操作装置１１は、例えばパーソナルコンピュータである。情報処理端末１２は、通常、１つまたは複数ある。本実施例において２つの情報処理端末１２の使用した場合を例に説明するため、区別して表記する場合には情報処理端末１２ａ、１２ｂとする。情報処理端末１２は、通常、携帯が可能な小型の情報処理端末であり、カメラの装着の有無を問わず、ＰＤＡ、デジタルスチルカメラ、デジタルムービーカメラ、携帯電話、ＰＨＳ、ノート型パーソナルコンピュータなどを含む。
【００１１】
データ表示操作装置１１は、ディスプレイ１０１、接近センサ１０２、プライベート領域１０３で構成される。情報処理端末１２は、表示パネル１１１、電子タグ１１２で構成される。
【００１２】
ディスプレイ１０１には、通常、ＬＣＤや有機ＥＬなどの薄型の表示デバイスであり、画像データＡ〜Ｆまたはａ〜ｆで構成された画像データ群１０４が表示されている。
ディスプレイ１０１には図示せぬタッチパネルセンサが組み込まれ、図示せぬユーザの手指や図示せぬペンによって画像データ群１０４に対するユーザの操作指示に関する情報を受付けることができる。
ディスプレイ１０１は画面を水平に配置し、ユーザが向い合って使用することが望ましいが、水平に配置されなくても良い。
【００１３】
プライベート領域１０３と接近センサ１０２は組を成し、１つまたは複数の組がある。ディスプレイ１０１の接近センサ１０２の近傍にプライベート領域１０３が配置される。プライベート領域１０３の境界線は表示してもしなくてもよい。プライベート領域１０３ａには接近センサ１０２ａに接近した情報処理端末１２ａの画像データＡ〜Ｆが表示される。同様に、プライベート領域１０３ｂには接近センサ１０２ｂに接近した情報処理端末１２ｂの画像データａ〜ｆが表示される。
【００１４】
データ表示操作装置１１と情報処理端末１２は、図示せぬネットワークで結ばれており、データの授受が可能である。表示パネル１１１は、通常、ＬＣＤや有機ＥＬなどの薄型の表示デバイスであり、情報処理端末１２に格納された画像データを表示することができる。電子タグ１１２は、情報処理端末１２の識別子を電磁波として送信することが可能である。
【００１５】
接近センサ１０２は例えば下記に示す電子タグのリーダライタで構成され、情報処理端末１２の接近を検知すると共に、電子タグ１１２から情報処理端末１２の識別子を受け取ることができる。
【００１６】
電子タグとリーダライタによる接近の検出の原理について説明する。
リーダライタは十分短い間隔で電磁波を出している。電子タグが近づくとリーダライタに内蔵されたアンテナの内部負荷が変化する。また遠ざかった場合も同様に内部負荷の変化として知ることができる。つまり、電子タグの接近を電磁結合の確立として、電子タグが遠ざかったことを電磁結合の解消として検知することができる。
【００１７】
例えば、国際標準規格（非接触ＩＣカード）ＩＳＯ／ＩＥＣ１０５３６で規定された方式では数センチメートル程度、また、同ＩＳＯ／ＩＥＣ１４４４３，ＩＳＯ／ＩＥＣ１５６９３で規定された方式では最大１メートル程度、の距離において、電子タグの接近検知および相互の通信が可能とされている。
【００１８】
電子タグとリーダライタによるデータ通信の原理について説明する。リーダライタからの搬送波の電磁誘導により電力が伝送される。同時に搬送波を振幅変調することで、リーダライタから電子タグへ制御信号が送られる。電子タグからリーダライタへの情報伝送では、リーダライタからの搬送波を電子タグで負荷変調して磁束を変化させる。その変化をリーダライタの内部抵抗に流れる電圧または電流の変化として復調することで情報を取り出すことができる。
【００１９】
本実施の形態におけるデータ処理システムのブロック構成を説明する。図２は本発明の実施例におけるブロック図である。
【００２０】
データ表示操作装置１１は、近接検出部２０１、識別子受信部２０２、アドレス変換部２０３、ネットワーク通信部２０４、画像データ保持部２０５、管理テーブル２０６、データ表示部２０７、操作入力部２０８、制御部２０９、データ削除部２１０を具備している。
【００２１】
情報処理端末１２は、識別子送信部３０１、ネットワーク通信部３０２、データ表示部３０３、画像データ保持部３０４、制御部３０５を具備している。なお、データ表示操作装置１１と情報処理端末１２はネットワーク２５０で接続されている。
【００２２】
近接検出部２０１は、情報処理端末１２が近接したこと検出し識別子受信部２０２へ送る。また、近接検出部２０１は、情報処理端末１２が遠ざかったことを検出し制御部２０８へ送る。
【００２３】
識別子受信部２０２は、識別子送信手段３０１から送られた識別子を受け取る。近接検出部２０１および識別子受信部２０２は電子タグ（ＲＦ−ＩＤタグ）のリーダライタ、またはブルートゥースなどの近距離無線通信モジュールで実現される。
【００２４】
アドレス変換部２０３は、アドレス管理テーブルを保持していて、識別子受信部２０２で受信した識別子をネットワーク２５０で機器を特定するアドレスに変換する。アドレス管理テーブルは、例えば、情報処理装置の識別子とＩＰアドレスを有するレコードを１以上格納している。
【００２５】
ネットワーク通信部２０４は、ネットワーク２５０を経由して情報処理端末１２と通信し、画像データを送受信する。ネットワーク通信部２０４は、無線通信手段で実現されることが好適である。
【００２６】
画像データ保持部２０５は情報処理端末１２から受け取った画像データ保持し、データ表示装置１１が具備するＲＡＭやメモリカードやハードディスク装置や光ディスク装置等で実現され得る。
管理テーブル２０６は画像データ保持部２０５に保持している画像データを管理する一時的なテーブルである。
【００２７】
データ表示部２０７は、画像データを管理テーブルの内容に従ってディスプレイ１０１に表示する。管理テーブルとは、画像データの表示位置を決定するための情報を管理しているテーブルであり、管理テーブルのデータ例は、以下で述べる。
【００２８】
データ削除部２１０は、制御部２０９からの指示に従ってディスプレイ１０１に表示されている指定された画像データを削除する。ここで、削除するとは、画像データを記憶領域から消去するだけではなく、記憶領域から削除せずに未表示とする場合も含む。
【００２９】
操作入力部２０８は、画像データに対するユーザ操作を受け付ける。操作入力部２０８はタッチパネルなどのポインティングデバイスで実現され、ユーザがポインティングした座標値を得ることができる。ユーザ操作とは、例えば、画像データを指示してディスプレイ１０１上を移動する指示である。かかる指示は、例えば、ペンで指示してドラッグする動作で実現される。
【００３０】
制御部２０９は、情報処理端末１２から受信した画像データを画像データ保持部２０５に格納すると共に管理テーブル２０６を更新する。制御部２０９は、操作入力部２０８から受けた指示に従って管理テーブル２０６の内容を随時更新する。制御部２０９は、情報処理端末１２が遠ざかった場合に、管理テーブルを参照して送信すべき画像データを検索し、画像データ保持部２０５から読み出してネットワーク通信部２０４を経由して情報処理端末１２へ送るとともに、データ削除部２１０へ当該画像データの表示削除を指示する。制御部２０９の一連の動作は、ソフトウエアで通常実現され、当該ソフトウエアはハードディスク等の記録媒体に記録されている。但し、ハードウエア（専用回路）で実現してもよい。
【００３１】
識別子送信部３０１は情報処理端末１２の識別子を送信する。識別子送信部３０１は電子タグやブルートゥースなどの近距離無線通信モジュールで実現され得る。
【００３２】
ネットワーク通信部３０２は、図示せぬネットワークを経由してデータ表示操作装置１１と通信し、画像データを授受する。ネットワーク通信部３０２は、無線通信手段で実現されることが好適である。
【００３３】
データ表示部３０３は、画像データを表示パネル１１１に表示する。
【００３４】
画像データ保持部３０４には、１つ以上の画像データが蓄積されており、制御部３０５からの指示により読み出しや記録が可能である。画像データ保持部３０４の実現手段は、画像データ保持部２０５と同じであり説明を省略する。
【００３５】
制御部３０５は、データ表示操作装置１１からの指示で、画像データ保持部３０４の画像データをネットワーク通信部３０２に渡す。また、制御部３０５は、データ表示操作装置１１からの指示で、ネットワーク通信部３０２から受け取った画像データを画像データ保持部３０４に格納する。さらに、制御部３０５は画像データ保持部３０４に格納されている画像データをデータ表示部３０３へ送る。制御部３０５の一連の動作は、ソフトウエアで通常実現され、当該ソフトウエアはハードディスク等の記録媒体に記録されている。但し、ハードウエア（専用回路）で実現してもよい。
【００３６】
ネットワーク２５０の接続形態は、無線と有線のどちらか一方、または両者を組み合わせである。
【００３７】
本実施例で使用するテーブルについて説明する。図３はアドレス変換部２０３が保持するアドレス管理テーブルＴＡである。
【００３８】
アドレス管理テーブルＴＡは、図３に示すように情報処理端末１２を識別する固有の識別子と、ネットワーク２５０で機器を特定するために使用するアドレスとの対応づけを管理している。このアドレス管理テーブルＴＡを参照することにより、識別子をアドレスに変換することが可能である。アドレス管理テーブルＴＡには、データ表示操作装置１１に近接する可能性のある複数の情報処理端末１２に関する情報をあらかじめ登録しているが、必要に応じてユーザが追加登録することも可能である。
【００３９】
図４は管理テーブル２０６が保持する画像管理テーブルＴＩである。画像管理テーブルＴＩは、図４に示すように画像データを識別する画像ＩＤと、表示領域Ｑと、プライベート領域を識別する領域ＩＤとを対応付けて管理している。画像ＩＤは本システムでユニークな番号である。
【００４０】
表示領域Ｑは画像データの左上座標（ｘ０，ｙ０）と右下座標（ｘ１，ｙ１）で表現する。本実施例で使用する表示座標系は、ディスプレイ１０１の左上を原点として横方向にｘ軸を、縦方向にｙ軸をとる。領域ＩＤは画像データがディスプレイ１０１上で表示された領域全体が含まれるプライベート領域を識別するものである。
【００４１】
領域ＩＤはプライベート領域１０４ａの領域ＩＤをａ、プライベート領域１０４ｂの領域ＩＤをｂとし、ディスプレイ１０１上で画像データが表示された領域によって決定する。但し、どのプライベート領域にも含まれない場合は領域ＩＤ＝０を格納する。なお、操作入力部２０８で得られるタッチパネルの座標値は、表示座標系と一致させる。
【００４２】
以下、本データ処理システムの動作について説明する。以下では、データ表示操作装置１１と情報処理端末１２ａを例にして、その動作を説明する。図５はデータ処理システムの全体処理のフローチャートである。
【００４３】
（ステップＳ１）接近センサ１０２ａは、情報処理端末１２ａの接近状況を監視し、接近した場合は次の処理へ進む。
【００４４】
（ステップＳ２）データ表示操作装置１１は、情報処理端末１２ａのアドレスを得て、情報処理端末１２ａに格納されている画像データを、ネットワーク２５０を経由して受信する。
【００４５】
（ステップＳ３）受信した画像データは、ディスプレイ１０１のプライベート領域１０３ａに表示する。
【００４６】
（ステップＳ４）ユーザのドラッグ＆ドロップ操作の指示を受付けて、ディスプレイ１０１上で画像データを移動する。なお、データの移動の指示を受けない場合は、本ステップは存在しない。
【００４７】
（ステップＳ５）接近センサ１０２ａが情報処理端末１２ａの近接状況を監視し、遠ざかった場合には、次のステップＳ６へ進む。遠ざかっていない場合（近接したままの状態）はステップＳ４へ戻る。
【００４８】
（ステップＳ６）データ表示操作装置１１はプライベート領域１０３にある画像データのみを情報処理端末１２ａへネットワーク２５０を経由して送信する。
【００４９】
（ステップＳ７）ディスプレイ１０１のプライベート領域１０３ａにある画像データの表示を消去し、ステップＳ１へ戻る。
なお、図５のフローチャートにおいて、電源オフなどの割り込みにより処理は終了する。
【００５０】
図６は第１のデータ転送処理のフローチャートである。
（ステップＳ２１）情報処理端末１２ａは自己の識別子を送信する。なお、情報処理端末１２ａは自己の識別子を予め格納している、とする。
【００５１】
（ステップＳ２５）データ表示操作装置１１はその識別子を受信し、アドレス管理テーブルＴＡを参照して情報処理端末１２ａのアドレスに変換する。このアドレスを元にデータ表示操作装置１１と情報処理端末１２ａとはネットワーク２５０を経由して通信する。なお、自己の識別子がアドレスであれば、識別子をアドレスに変換する動作は必要でない。
【００５２】
（ステップＳ２２）情報処理端末１２ａは、画像データ保持部３０４に蓄積されている全ての画像データを１つずつ送信する。なお、図６のフローチャートでは、ループ、と記載することで、画像データを１つずつ送信することを表現している。
【００５３】
（ステップＳ２６）データ表示操作装置１１は画像データを１つ受信し、画像データ保持部２０５に格納する。
【００５４】
（ステップＳ２７）管理テーブルＴＩに当該受信した画像データに対応する新しいエントリーを追加する。画像ＩＤはエントリー作成順に１からインクリメンタルな整数を格納する。表示領域Ｑは、例えば、プライベート領域の左から右へ、上から下へ画像データを順次表示するように決定する。画像データは重ならないように表示することが望ましいが、画像データが多い等の理由でプライベート領域に入りきれない場合は、画像データの一部が重なるように表示位置を決定してもよい。近接センサ１０２ａに近接した情報処理端末１２ａに蓄積された画像データに対する領域ＩＤの値にはａを、近接センサ１０２ｂに近接した情報処理端末１２ｂに蓄積された画像データに対する領域ＩＤの値にはｂを格納する。
【００５５】
（ステップＳ２８）全ての画像データの受信が完了した場合は処理を終了する。そうでない場合には、ステップＳ２６へ戻って次の画像データを受信する。
【００５６】
以上の一連の処理で情報処理端末１２ａが蓄積している全ての画像データをデータ表示操作装置１１へ転送することができる。
【００５７】
図７はデータ表示操作装置１１におけるデータ表示処理のフローチャートである。
（ステップＳ３１）画像管理テーブルＴＩの全てのエントリーを順次参照して、当該画像データの表示領域Ｑを読み出す。
【００５８】
（ステップＳ３２）画像データ保持手段２０５から当該画像データを読み出し、ディスプレイ１０１上の表示領域Ｑで示された領域に表示する。
【００５９】
以上の処理を画像管理テーブルに登録されている全ての画像データに関して処理することで、全ての画像データをディスプレイ１０１上に表示できる。
【００６０】
図８および図９はデータ表示操作装置１１におけるデータ操作処理のフローチャートである。
（ステップＳ４１）操作入力部２０８でユーザがタッチパネルに触れているか否かを判定し、触れていない場合には処理を終了する。
【００６１】
（ステップＳ４２）タッチパネルに触れている場合には、ドラッグ操作を開始したと見なし、その開始座標ＰＡ（ｘａ，ｙａ）を操作入力部２０８より得る。
【００６２】
（ステップＳ４４）ＰＡを元に画像データの検索処理を行う。
（ステップＳ４４１）指定画像ＩＤに０を格納する。
【００６３】
（ステップＳ４４２、Ｓ４４３）画像管理テーブルＴＩの全てのエントリーを順次参照して、ＰＡが表示領域Ｑに含まれている場合には当該画像ＩＤを指定画像ＩＤとし、検索処理を終了する。
含まれていない場合は次のエントリーを調べる。
【００６４】
（ステップＳ４４）指定画像ＩＤが０である場合は、ユーザは画像が指定されていないと判断し処理を終了する。そうでない場合は、次のステップへ進む。
【００６５】
（ステップＳ４５）操作入力部２０８でタッチパネルに触れているか否かを判定し、触れなくなるまでステップＳ４５を繰り返す。
【００６６】
（ステップＳ４６）タッパネルに触れなくなったとき、ユーザはドロップしたと判断し、最後に触れていた座標を終了座標ＰＢ（ｘｂ、ｙｂ）として得る。
【００６７】
（ステップＳ４７）ＰＡとＰＢの相対距離（ｘｂ−ｘａ，ｙｂ−ｙａ）を指定画像ＩＤの画像データの表示領域Ｑ（ｘ０，ｙ０）および（ｘ１，ｙ１）の座標値にそれぞれ加算することで表示領域Ｑを更新する。さらに、更新した表示領域Ｑとプライベート領域との座標情報から重なりを判定し、領域ＩＤを更新する。
【００６８】
（ステップＳ４８）ディスプレイ１０１上の当該画像データの表示を一旦消去し、改めて表示領域Ｑで示された領域に画像データを表示する。
【００６９】
図１０は第２のデータ転送処理のフローチャートである。
（ステップＳ６１）データ表示操作装置１１は画像管理テーブルＴＩの全てのエントリーを順次参照して、領域ＩＤがａか否かを判定する。領域ＩＤがａでない場合は次のエントリーを処理する。
【００７０】
（ステップＳ６２）領域ＩＤがａの場合は画像データ保持部２０５に蓄積されている画像データを、ネットワーク２５０を経由して情報処理端末１２ａへ送信する。
【００７１】
（ステップＳ６５）情報処理端末１２ａはデータ表示操作装置１１から送信された画像データを受信し、画像データ保持部３０５に格納する。
【００７２】
（ステップＳ６６）全ての画像データの受信が完了した場合は次の処理へ進む。そうでない場合には、ステップＳ６５へ戻って次の画像データを受信する。
【００７３】
（ステップＳ６７）画像データ保持部３０５に格納された全ての画像データを表示パネル１１１ａへ表示する。
【００７４】
以上の一連の処理でデータ表示操作装置１１のプライベート領域１０３ａにある全ての画像データを情報処理端末１２ａへ転送できたことになる。
【００７５】
図１１はデータ表示操作装置１１における表示消去処理のフローチャートである。
（ステップＳ７１）画像管理テーブルＴＩの全てのエントリーを順次参照して、領域ＩＤがａか否かを判定する。領域ＩＤがａでない場合は次のエントリーを処理する。
【００７６】
（ステップＳ６２）領域ＩＤがａの場合はデータ削除部２１０によってディスプレイ１０１に表示されている当該画像データを削除する。なお、削除とは、データ自体を削除する処理だけではなく、未表示する処理も含む。
【００７７】
以上の図５〜図１１に示したフローチャートは、データ表示操作装置１１と情報処理端末１２ａに関する動作の説明である。本実施例において、データ表示操作装置１１は、近接センサ１０２とプライベート領域１０３を２組有しており、最大で２つの情報処理端末１２ａ，１２ｂを同時に処理できる。
【００７８】
データ表示操作装置１１と情報処理端末１２ｂに関する動作の説明は、図５〜図１１に示したフローチャートの説明において、情報処理端末１２ａを同１２ｂ、近接センサ１０２ａを同１０２ｂ、プライベート領域１０３ａを同１０３ｂ、ステップＳ６１およびステップＳ７１における条件判断を「領域ＩＤがａか否か」を「領域ＩＤがｂか否か」と読み替えることで説明できるため、ここでは詳細な説明は省略する。
【００７９】
以下、本実施例の携帯におけるデータ処理システムの具体的な動作について、図１２（ａ）〜（ｄ）を用いて説明する。
【００８０】
ユーザＡとユーザＢは情報処理端末１２ａ，１２ｂをそれぞれ手に持っている。情報処理端末１２ａには画像データＡ〜Ｆが、情報処理端末１２ｂには画像データａ〜ｆがそれぞれ格納されている。データ表示操作装置１１の画面にはプライベート領域１０３のみが表示されている。その状態を図１２（ａ）に示す。
【００８１】
ユーザＡが情報処理端末１２ａをデータ表示操作装置１１に近づけると、接近センサ１０２ａが接近を検知し、電子タグ１１２ａから発せられた識別子を受信する。データ表示操作装置１１は識別子からアドレスに変換し、ネットワーク経由で情報処理端末１２ａから画像データＡ〜Ｆを受取り、ディスプレイ１０１のプライベート領域１０３ａに表示する。同様に、ユーザＢは情報処理端末１２ｂをデータ表示操作装置１１に近づけると、画像データａ〜ｆを受取りプライベート領域１０３ｂに表示する。この状態を図１２（ｂ）に示す。
【００８２】
ユーザＡの所有する画像データＥをユーザＢへ渡す場合、画像データＥのサムネイルデータを矢印Ｐに沿ってドラッグしプライベート領域１０３ｂへドロップすることで、画像データを移動する。同様に矢印Ｑで示したドラッグ＆ドロップ操作で、ユーザＢが所有する画像データｆをプライベート領域１０３ａへ移動する。さらに、矢印Ｒで示したドラッグ＆ドロップ操作で、ユーザＡが所有する画像データＡを、プライベート領域１０３ａおよびプライベート領域１０３ｂの外に移動する。この状態を図１２（ｃ）に示す。画像データＥのサムネイルデータとは、例えば、Ｅが動画データである場合の最初の１フィールドの静止画を言う。また、画像データＥのサムネイルデータとは、例えば、Ｅが静止画データである場合の解像度を落とした静止画データを言う。なお、画像データＥのサムネイルデータは、画像データＥそのものである場合もあり得る。
【００８３】
ユーザＡが情報処理端末１２ａをデータ表示操作装置１１から遠ざけると、近接センサ１０２ａが検知し、プライベート領域１０３ａにある画像データＡ〜Ｄ，Ｆ，ｆをネットワーク経由で情報処理端末１２ａへ転送するとともに、プライベート領域１０３ａから消去される。同様にユーザＢも情報処理端末１２ｂをデータ表示操作装置１１から遠ざけると、プライベート領域１０３ｂにある画像データａ〜ｅ，Ｅが情報処理端末１２ｂへ転送されるとともに、プライベート領域１０３ｂから消去される。各情報端末１２の表示パネル１１１には転送された画像データが表示される。また、データ表示操作装置１１には、プライベート領域に存在しない画像データＡのみが残る。この状態を図１２（ｄ）に示す。
【００８４】
なお、図１２によれば、第一情報処理装置は、第二情報処理装置が近づいた場所の付近にデータを表示している。かかる処理により、データがどの第二情報処理装置から送信されたデータであるかが分かりやすい、という効果がある。近づいた場所の付近とは、例えば、ディスプレイ上の第二情報処理装置が近づいた側を言う。
【００８５】
以上、本実施の形態によれば、情報処理端末１２ａ，１２ｂに格納された画像データを簡単な操作で交換することができる。かかるデータ交換は、例えば、子供のカード交換の遊戯で利用できる。つまり、例えば、人気のあるアニメのキャラクターカードが電子化されており、かかる電子化されたカードを友人通しで交換するような遊戯に利用できる。
【００８６】
また、本実施の形態によれば、近づけた付近に画像データを表示すること、および近接センサを複数具備し複数端末を同時処理できることにより、複数台の情報処理端末に蓄積された画像データを、どの端末のデータであるかを明確に示しつつ、１つのディスプレイに表示することが可能となる。また、複数人で同時作業が可能となる。
【００８７】
また、本実施の形態によれば、端末を離すとプライベート領域の画像を端末に転送し画面から削除できることにより、ディスプレイに表示中に見せたくない人が近寄った場合など、端末を遠ざけるという簡単かつ直観的な操作で瞬時にデータの閲覧を中止できるため、セキュリティが高く安全なデータ操作が可能となる。
【００８８】
さらに、ドラッグ＆ドロップなどの操作で画像データをプライベート領域間で移動することにより、簡単な操作で機器間のデータ受け渡しを指示できる。
【００８９】
なお、本実施の形態において、データ表示操作装置１１は、近接センサ１０２とプライベート領域１０３を２組有して、最大で２つの情報処理端末１２ａ，１２ｂを同時に処理できる場合を説明したが、例えばディスプレイ１０１の外周に近接センサ１０２とプライベート領域１０３を３組以上配置することで、３つ以降の情報処理端末１２を同時に処理できるこが可能である。
【００９０】
また、本実施の形態において、ディスプレイ１０１には画像データ保持部２０５に格納された画像データを表示したが、画像データから生成されたサムネイルデータを表示してもよい。ここで、サムネイル画像とは、静止画・動画データの内容をわかりやすく示すために、元の画像データから生成した概要表示データであり、そのサイズは元画像のサイズに関わらず一定の矩形とする。つまり、画像データが静止画データの場合は、その画像データを縮小または拡大変換してサムネイルデータを生成する。画像データが動画データの場合には、動画データの内容を代表するフレーム（例えば、最初のフレーム）を静止画データに変換し、さらに縮小または拡大変換してサムネイルデータを生成する。
【００９１】
また、本実施の形態において、画像データはトランプや花札や百人一首やカルタなどのカードゲームのカードを電子化したデータとしてもよい。また、漫画作品やテレビ番組やゲームコンテンツに登場するキャラクタ、歌手・スポーツ選手等の著名人、などに関する絵柄・文字・写真等が印刷されカードを電子化したデータとすることで、カードを交換して楽しむ所謂トレーディングカードの遊戯を簡単に実現することが可能となる。
【００９２】
また、本実施の形態において、プライベート領域を明示することにより、データがどの第二情報処理装置が送信したものであるかが判断できたが、データを送信した第二情報処理装置を視覚的に明示できれば、他の表示形態でも良い。例えば、第一情報処理装置のディスプレイ上に表示されているデータに対応付けて、第二情報処理装置を識別する情報を表示しても良い。
【００９３】
また、本実施の形態において、交換したデータは、画像データであったが、音声データ、音楽データ、動画データ、テキストデータ、実行モジュールなど、そのタイプは何でも良い。
【００９４】
また、本実施の形態において、第一情報処理装置、および第二情報処理装置は、すべての構成要素が必須ではない。例えば、第一情報処理装置は、第二情報処理装置からデータを受信するデータ受信部と、第二情報処理装置が近づいた場所の付近にデータを表示するデータ表示部のみの構成でも良い。また、第二情報処理装置は、データを格納しているデータ格納部と第一情報処理装置が近づいた場合に、データを第一情報処理装置に送信するデータ送信部でも良い。また、第一情報処理装置は、データを表示するデータ表示部と、第二情報処理装置が遠ざかった場合に、データを削除するデータ削除部を具備するだけでも良い。さらに、第二情報処理装置は、第一情報処理装置が遠ざかった場合に、第一情報処理装置からデータを受信するだけの構成でも良い。
【００９５】
なお、第一情報処理装置と第二情報処理装置が近づいたことや遠ざかったことは、どちらの装置が判断しても良い。また、場合によっては、第三の装置が判断して、第一情報処理装置や第二情報処理装置に通知しても良い。
【００９６】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。かかることも、他の実施の形態においても同様である。なお、本実施の形態において説明した第一情報処理装置の動作を実現するプログラムは、コンピュータに、第二情報処理装置が近づいた場合に、第二情報処理装置からデータを受信するデータ受信ステップと、データを表示するデータ表示ステップと、第二情報処理装置が遠ざかった場合に、データを削除するデータ削除ステップを実行させるためのプログラムである。また、本実施の形態において説明した第二情報処理装置の動作を実現するプログラムは、コンピュータに、第一情報処理装置が近づいた場合に、データを第一情報処理装置に送信するデータ送信ステップと、第一情報処理装置が遠ざかった場合に、前記第一情報処理装置からデータを受信するデータ受信ステップを実行させるためのプログラムである。
【発明の効果】
以上のように、本発明によれば、複数台の情報処理端末に蓄積された画像データを、１つのディスプレイに表示し、交換することが可能となる。
【図面の簡単な説明】
【図１】実施の形態におけるデータ処理システムの概念図
【図２】実施の形態におけるデータ処理システムのブロック図
【図３】実施の形態におけるデータ処理システムのアドレス管理テーブルの説明図
【図４】実施の形態におけるデータ処理システムの画像管理テーブルの説明図
【図５】実施の形態におけるデータ処理システムの動作を説明するフローチャート
【図６】実施の形態におけるデータ処理システムの動作を説明するフローチャート
【図７】実施の形態におけるデータ処理システムの動作を説明するフローチャート
【図８】実施の形態におけるデータ処理システムの動作を説明するフローチャート
【図９】実施の形態におけるデータ処理システムの動作を説明するフローチャート
【図１０】実施の形態におけるデータ処理システムの動作を説明するフローチャート
【図１１】実施の形態におけるデータ処理システムの動作を説明するフローチャート
【図１２】実施の形態におけるデータ処理システムの動作の具体的動作を説明する図
【符号の説明】
１１　データ表示操作装置
１２　情報処理端末
１０１　ディスプレイ
１０２　接近センサ
１０３　プライベート領域
１１１　表示パネル
１１２　電子タグ
２０１　近接検出部
２０２　識別子受信部
２０３　アドレス変換部
２０４　ネットワーク通信部
２０５　画像データ保持部
２０６　管理テーブル
２０７　データ表示部
２０８　操作入力部
２０９　制御部
２１０　データ削除部
２５０　ネットワーク
３０１　識別子送信部
３０２　ネットワーク通信部
３０３　データ表示部
３０４　画像データ保持部
３０５　制御部
【図１】
2004140729.tif 000003
【図２】
2004140729.tif 000004
【図３】
2004140729.tif 000005
【図４】
2004140729.tif 000006
【図５】
2004140729.tif 000007
【図６】
2004140729.tif 000008
【図７】
2004140729.tif 000009
【図８】
2004140729.tif 000010
【図９】
2004140729.tif 000011
【図１０】
2004140729.tif 000012
【図１１】
2004140729.tif 000013
【図１２】
2004140729.tif 000014